(57)【要約】【課題】小型化および駆動力の低減を図ることができるカメラを提供する。【解決手段】光軸方向に相対移動可能な第１のレンズ部材３および第２のレンズ部材５のうち一方のレンズ部材に設けられた係合部５ａと、他方のレンズ部材に設けられた被係合部３ｃとを有し、撮影可能状態において、係合部５ａが被係合部３ｃに係合することにより第１のレンズ部材３および第２のレンズ部材５を所定の間隔を保った状態で一体的に移動可能とし、非撮影状態において、係合部５ａの被係合部３ｃとの係合が外れることによりレンズ部材の間隔が所定の間隔よりも狭い間隔になるように第１のレンズ部材３および第２のレンズ部材５の移動を許容する。【選択図】　図１
2004021053.tif 000002
【特許請求の範囲】
【請求項１】
光軸方向に相対移動可能な第１のレンズ部材および第２のレンズ部材のうち一方のレンズ部材に設けられ、他方のレンズ部材側に延びる係合部と、
前記他方のレンズ部材に設けられ、前記係合部と係脱可能な被係合部とを有し、
撮影可能状態において、前記係合部が前記被係合部に係合することにより前記第１のレンズ部材および前記第２のレンズ部材を所定の間隔を保った状態で一体的に移動可能とし、
非撮影状態において、前記係合部の前記被係合部との係合が外れることにより前記第１のレンズ部材および前記第２のレンズ部材の間隔が前記所定の間隔よりも狭い間隔になるように前記第１のレンズ部材および前記第２のレンズ部材の移動を許容することを特徴とするカメラ。
【請求項２】
前記第１のレンズ部材を前記第２のレンズ部材に対して光軸周りに変位させるカム機構を有し、
前記係合部が、前記カム機構による前記第１のレンズ部材の光軸周りの変位に応じて前記被係合部と係脱可能であることを特徴とする請求項１に記載のカメラ。
【請求項３】
前記係合部が、弾性変形可能な部材で構成されており、前記一方のレンズ部材の光軸方向の移動に応じて弾性変形することにより前記被係合部と係脱可能であることを特徴とする請求項１に記載のカメラ。
【請求項４】
前記一方のレンズ部材および前記他方のレンズ部材を光軸方向にガイドするガイド部材を有しており、
前記ガイド部材が、前記係合部と当接して前記係合部を弾性変形させる突起部を有することを特徴とする請求項３に記載のカメラ。
【請求項５】
前記一方のレンズ部材に対して光軸方向で隣り合うように配置され、光軸方向に移動可能な第３のレンズ部材を有しており、
前記第３のレンズ部材は、前記係合部の前記被係合部との係合が外れた状態において、前記一方のレンズ部材を光軸方向一方向から付勢することにより前記一方のレンズ部材および前記他方のレンズ部材の間隔を変化させることを特徴とする請求項３又は４に記載のカメラ。
【請求項６】
前記第３のレンズ部材が、前記一方のレンズ部材に対して前記他方のレンズ部材側に配置され、前記一方のレンズ部材および前記他方のレンズ部材の間隔が前記所定の間隔に広がるように前記一方のレンズ部材を付勢することを特徴とする請求項５に記載のカメラ。
【請求項７】
前記第３のレンズ部材が、前記一方のレンズ部材に対して前記他方のレンズ部材側とは反対側に配置され、前記一方のレンズ部材および前記他方のレンズ部材の間隔が前記所定の間隔よりも狭い間隔になるように前記一方のレンズ部材を付勢することを特徴とする請求項５に記載のカメラ。
【請求項８】
光軸周りに回転可能であり、回転により前記一方のレンズ部材又は前記他方のレンズ部材を光軸方向に移動させるカム部材を有することを特徴とする請求項１に記載のカメラ。
【発明の詳細な説明】
【０００１】
【発明の属する技術分野】
本発明はカメラにおけるレンズの駆動機構に関するものである。
【０００２】
【従来の技術】
複数のレンズ群それぞれを光軸方向に移動させて、レンズ群間の距離を変えることによりズーミングやフォーカシングを行うレンズ鏡筒においては、レンズ群を光軸方向にのみ移動させるための直進筒と、レンズ群の光軸方向移動量を決定するためのカム筒とで構成されているものが一般的である。
【０００３】
このようなレンズ鏡筒では、光軸方向に移動する一つのレンズ群に対して、この周方向３カ所に凸状のカムピンを設けるとともに、これらのカムピンそれぞれと係合するカム溝部をカム筒に形成しているものがほとんどである。そして、カム筒を光軸周りに回転させることにより、カムピンをカム溝に沿って移動させてレンズ群を光軸方向に移動させている。
【０００４】
上述したレンズ鏡筒の構成では、光軸方向に移動させるレンズ群の数を増やすと、レンズ群の数が増えた分だけこれに対応するカム溝部をカム筒に形成しなければならない。ここで、レンズ群の数が増える要因としては、撮影光学系の高倍率化や長焦点距離化が考えられ、この高倍率化や長焦点距離化は近年のコンパクトカメラでは非常にニーズが高くなってきている。
【０００５】
上述したようにカム筒に形成されるカム溝部の本数が増えると、カム溝部同士の干渉などによりレンズ群を所定の軌跡に従って移動させることができないことがある。また、カム溝部同士の干渉を避けようとすると、レンズ群の駆動機構が複雑になり、駆動機構が大型化してしまう。
【０００６】
このような問題を解消する手段として、カム溝部の代わりにヘリコイドネジを用いてレンズ群を駆動する機構もあるが、このヘリコイドネジを用いた駆動機構ではレンズ群の光軸方向移動量が一定であるため、レンズ群の光軸方向移動量を変化させる必要がある場合には適していない。
【０００７】
また、１つのレンズ群に対して形成されるカム溝部を３本から２本等に減らすことによりカム溝部同士の干渉を避ける方法も考えられているが、この場合にはレンズ群が光軸に対して傾いてしまう恐れもある。
【０００８】
そこで、上述した問題点を解消すべく、光軸方向に移動する２つのレンズ群の移動軌跡を同じにすることによって、２つのレンズ群を機構上、１つのレンズ群として取り扱い、カム筒に形成されるカム溝部の数を少なくしたものがある。このような機構は、例えば特開平１１−１９４２５８号公報に提案されている。
【０００９】
しかし、上述した特開平１１−１９４２５８号公報で提案されている駆動機構等のように２つのレンズ群を所定の間隔で一体的に移動させる機構の場合、この機構を、各レンズ群の間隔を最も縮めてレンズ鏡筒をカメラ本体内に収納させる、いわゆる沈胴式のカメラに適用しようとすると、一体的に移動する２つのレンズ群の間隔を狭めることができず、レンズ鏡筒をカメラ本体内にコンパクトに収納することができない。
【００１０】
そこで、この問題を解決するものとして、特許第２５３７３９８号に開示されているズームレンズ鏡筒がある。このレンズ鏡筒は、３群タイプのレンズで構成されており、１群レンズと３群レンズとの間にバネ部材が配置されている。
【００１１】
このレンズ鏡筒において、ズーミングを行う場合、バネ部材が１群レンズと３群レンズとを引き離す方向に作用して、一群レンズおよび３群レンズが所定の間隔で一体的に移動するようになっている。また、１群レンズと３群レンズとの間では、２群レンズが相対的に移動するようになっている。これにより、３群タイプのレンズ構成でありながら実質的には２つのレンズ群を駆動する２群タイプのレンズ構成となっており、レンズ鏡筒の駆動機構を簡単な構成としている。
【００１２】
また、沈胴時には、バネ部材に圧縮力を加えることにより、１群レンズと３群レンズとの間隔を縮めて、レンズ鏡筒をカメラ本体内にコンパクトに収納させるようにしている。ここで、沈胴時およびズーミング時における１群レンズから３群レンズの移動軌跡を図９に示す。
【００１３】
【発明が解決しようとする課題】
特許第２５３７３９８号に開示されているズームレンズ鏡筒では、上述したように機構上、光軸方向に駆動するレンズ群の数を減らすことができるとともに、沈胴時に複数のレンズ群を近接させて収納できるという利点がある。しかし、２つのレンズ群を近づけるためには、バネ部材のバネ力に抗してバネ部材を圧縮させるための圧縮力が必要になるため、この圧縮力に応じてレンズ群の駆動負荷が大きくなる。
【００１４】
ここで、バネ部材には、レンズ鏡筒が沈胴状態から撮影状態に繰り出す際に１群レンズおよび３群レンズを所定の間隔に広げるために必要なバネ力（第１のバネ力）さえ備わっていれば十分である。
【００１５】
しかし、第１のバネ力を備えたバネ部材を用いた場合には、撮影時の振動などによりレンズ間隔が変わってしまう恐れもあるため、バネ部材は第１のバネ力よりも大きなバネ力（第２のバネ力）を備えている必要がある。このようにバネ部材のバネ力を大きくすれば、この大きくした分だけバネ部材を圧縮させるための駆動力（圧縮力）が大きくなってしまう。
【００１６】
また、１群レンズと３群レンズとの間にバネ部材を配置すると、バネ部材を圧縮させたとしてもバネ部材の存在により所定間隔以上はレンズ間隔を狭めることができない。このため、複数のレンズ群をコンパクトに収納させるには一定の限界がある。
【００１７】
【課題を解決するための手段】
本発明のカメラは、光軸方向に相対移動可能な第１のレンズ部材および第２のレンズ部材のうち一方のレンズ部材に設けられ、他方のレンズ部材側に延びる係合部と、他方のレンズ部材に設けられ、係合部と係脱可能な被係合部とを有し、撮影可能状態において、係合部が被係合部に係合することにより第１のレンズ部材および第２のレンズ部材を所定の間隔を保った状態で一体的に移動可能とし、非撮影状態において、係合部の被係合部との係合が外れることにより第１のレンズ部材および第２のレンズ部材の間隔が所定の間隔よりも狭い間隔になるように第１のレンズ部材および第２のレンズ部材の移動を許容することを特徴とする。
【００１８】
すなわち、撮影可能状態においては係合部および被係合部を係合させて第１のレンズ部材および第２のレンズ部材を一体的に移動させ、非撮影状態においては係合部および被係合部の係合を外して第１のレンズ部材と第２のレンズ部材との間隔を狭めるようにすることで、従来技術におけるバネ部材を不要としている。
【００１９】
このようにバネ部材を不要とすることにより部品点数を削減することができるとともに、２つのレンズ部材の間隔を狭める際にバネ部材を圧縮させる必要がなくなるためにレンズ部材の駆動負荷を低減することができる。しかも、２つのレンズ部材の間隔を、バネ部材を配置した場合に比べて更に狭めることができるため、例えば、非撮影状態においてレンズ部材をカメラ内に収納する、いわゆる沈胴式カメラに本発明を適用すればカメラの小型化を図ることができる。
【００２０】
ここで、第１のレンズ部材を第２のレンズ部材に対して光軸周りに変位させるカム機構を設けて、このカム機構により第１のレンズ部材を光軸周りに変位させることで係合部および被係合部を係合させたり、この係合を外したりすることができる。
【００２１】
また、係合部を弾性変形可能な部材で構成して、一方のレンズ部材の光軸方向の移動に応じて係合部を弾性変形させることにより、係合部を被係合部に係合させたり、この係合を外したりすることができる。ここで、一方のレンズ部材および他方のレンズ部材を光軸方向にガイドするガイド部材に突起部を設けて、この突起部に係合部を当接させるようにすることで係合部を弾性変形させることができる。
【００２２】
このように係合部を弾性変形させる場合、光軸方向に移動可能な第３のレンズ部材を、一方のレンズ部材に対して光軸方向で隣り合うように配置し、係合部の被係合部との係合が外れた状態において、第３のレンズ部材を一方のレンズ部材に光軸方向一方向から付勢させることにより一方のレンズ部材および他方のレンズ部材の間隔を変化させることができる。
【００２３】
一方、本発明では、係合部および被係合部を係合させて２つのレンズ部材を一体的に移動可能としており、２つのレンズ部材のうち１つのレンズ部材を駆動するだけで２つのレンズ部材を光軸方向に移動させることができるため、レンズ部材の駆動機構を簡素化してカメラを小型化することができる。ここで、レンズ部材の駆動機構には、光軸周りに回転可能であり、回転により１つのレンズ部材を光軸方向に移動させるカム部材を用いることができる。
【００２４】
【発明の実施の形態】
（第１実施形態）
図１〜図８を用いて本発明の第１実施形態であるカメラについて説明する。ここで、図１〜図７は本実施形態のカメラにおけるレンズ駆動機構の構成を概念的に示した図であり、円筒形状の直進筒やカム筒を平板として表したものである。なお、カム筒を平板状に形成して、レンズ駆動を行うこともできる。
【００２５】
本実施形態のカメラにおけるレンズ鏡筒では、３群タイプのレンズ構成となっている。そして、ズーム駆動中は、一群レンズおよび三群レンズが所定の間隔をおいた状態で一体となって移動する構成となっている。また、沈胴時には一群レンズと三群レンズとのレンズ間隔が縮まる構成となっている。
【００２６】
まず、図１８に本実施形態のカメラの外観斜視図を示す。この図において、３０はカメラ本体であり、このカメラ本体３０の前面中央には、ズーミングが可能なレンズ鏡筒３１が設けられている。
【００２７】
また、カメラ本体３０の前面における向かって右側には、ストロボ装置を構成する発光窓部材３２が、向かって左側にはファインダ窓３３および測光窓３４がそれぞれ設けられている。さらに、カメラ本体３０の上面には、カメラ本体３０内の不図示のフィルム又はＣＣＤ等の撮像素子への露光（撮影）を開始させるレリーズボタン３５が設けられている。
【００２８】
上述したカメラの構成において、カメラ本体３０の電源がオフ状態となっている場合、カメラは沈胴状態（非撮影状態）にあり、レンズ鏡筒３１は図１８に示すようにカメラ本体３０内に収納されている。一方、カメラ本体３０の電源がオン状態となる場合、レンズ鏡筒３１はカメラ本体３０から繰り出すようになっている。
【００２９】
次に、図１を用いてレンズ鏡筒３１の構成について説明する。カム筒１には、一群カム溝部１ａと二群カム溝部１ｂとが形成されている。これらのカム溝部１ａ、１ｂは、ズーム領域▲１▼と沈胴領域▲２▼とを有している。なお、図１においてはカム筒１にカム溝部１ａ、１ｂが１本づつ形成されているが、これは構成概念図であり、本来はカム筒１の周方向にカム溝１ａ、１ｂが略１２０°間隔で３本づつ形成されている。
【００３０】
直進筒２には、光軸方向に延びる直進溝部２ａが形成されている。図１では１本の直進溝部２ａとしているが、直進筒２の周方向において位相をずらして２本の直進溝部２ａを形成することも可能である。ここで、図１では、レンズ鏡筒の構成を簡素化するために直進溝部２ａを１本としている。
【００３１】
一群レンズを保持する一群筒３の外周にはカムピン３ａが形成されており、二群レンズを保持する二群筒４の外周にはカムピン４ａが形成されている。このカムピン３ａおよびカムピン４ａはそれぞれ、直進溝部２ａを貫通して、一群カム溝部１ａや二群カム溝部１ｂに係合している。ここで、カムピン３ａ、４ａは、直進溝部２ａを貫通しているため、光軸方向にのみ移動可能となっている。
【００３２】
上述した構成において、カム筒１が矢印▲３▼方向に移動すると、一群筒３のカムピン３ａが一群カム溝部１ａに案内されることにより一群筒３が光軸方向に進退する。また、二群筒４のカムピン４ａが二群カム溝部１ｂに案内されることにより二群筒４が光軸方向に進退する。なお、実際のレンズ鏡筒の構成では、カム筒１が光軸周りに回転することになる。
【００３３】
二群筒４の像面側には、三群レンズを保持する三群筒５が配置されている。三群筒５の外周には、被写体側に延びる支持腕部５ａが形成されており、この支持腕部５ａの先端にはＬ字状のフック部５ｂが形成されている。
【００３４】
支持腕部５ａは、二群筒４を飛び越えて、一群筒３の外周に形成された支持溝部３ｂに当接している。ここで、支持溝部３ｂの一部にはフック部５ｂが係合するための位置決め溝部３ｃが形成されている。
【００３５】
なお、図１では、支持腕部５ａおよび支持溝部３ｂを一組として図示しているが、実際のレンズ鏡筒の構成では３組となっている。すなわち、三群筒５の外周には３つの支持腕部５ａが位相をずらした状態で形成されており、一群筒３の外周には３つの支持溝部３ｂが支持腕部５ａと同位相となるように形成されている。
【００３６】
一方、三群筒５の外周にはカムピン５ｃが形成されており、このカムピン５ｃは直進筒２に形成されたガイド溝部２ｂに係合している。ガイド溝部２ｂは変曲部２ｃを有しており、カムピン５ｃが変曲部２ｃに沿って移動することにより三群筒５が光軸周りに変位するようになっている。なお、ガイド溝部２ｂのうち変曲部２ｃを境とする前後の領域（第１領域▲５▼および第２領域▲６▼）における溝部は光軸方向に延びており、カムピン５ｃは光軸方向にのみ進退可能となっている。
【００３７】
ここで、カムピン５ｃおよびガイド溝２ｂは、上述したカムピン３ａおよび一群カム溝部１ａや、カムピン４ａおよび二群カム溝部１ｂなどのように３組ずつ必要な部品と異なり最低一組あればよい。つまり、３組ずつ必要な部分は、各レンズ群を光軸に対して傾かせることなく移動させるために必要な部品であるが、カムピン５ｃおよびガイド溝２ｂは後述するように、三群筒５を一群筒３に対して僅かに相対回転させるために必要なだけであるため、一組で十分である。なお、３組ずつ必要なカムピンおよびカム溝といった部品であっても、他の支持部材やガイド機構を別途用いることによってレンズ群の光軸に対する傾きを防止できれば、２組あるいは１組にしても構わない。
【００３８】
上述した構成において、フック部５ｂが位置決め溝部３ｃに係合すると、一群筒３および三群筒５は一体となって光軸方向に進退可能となる。一方、フック部５ｂが位置決め溝部３ｃから外れると、一群筒３だけがカムピン３ａおよび一群カム溝部１ａの係合作用により光軸方向に進退するようになる。
【００３９】
なお、本実施形態では、一群筒３に支持溝部３ｂが形成され、三群筒５に支持腕部５ａが形成されているが、一群筒３に支持腕部を形成し、三群筒５に支持溝部を形成してもよい。
【００４０】
以下、本実施形態におけるレンズ鏡筒の動作について、図１から図６を用いて詳細に説明する。ここで、図１はレンズ鏡筒が沈胴状態にあるときの図を示し、図２および図３はレンズ鏡筒が沈胴状態からズーム領域に移行する際の中間移動状態を示す図である。また、図４、５、６はそれぞれ、レンズ鏡筒がワイド状態、ミドル状態、テレ状態（撮影可能状態）にあるときの図を示している。
【００４１】
図１に示す沈胴状態において、一群筒３および三郡筒５は間隔Ａ１だけ離れた状態となっている。そして、沈胴状態からカム筒１が矢印▲３▼方向に移動すると、一群筒３はカムピン３ａおよび一群カム溝部１ａのカム係合作用により光軸方向に繰り出し、二群筒４はカムピン４ａおよび二群カム溝部１ｂのカム係合作用により光軸方向に繰り出す。ここで、三群筒５は、フック部５ｂと支持溝部３ｂとの間の摩擦力により、一群筒３とともに繰り出し、カムピン５ｃはガイド溝部２ｂの変曲部２ｃに当接する。このとき、カムピン５ｃはガイド溝部２ｂのうち第１領域▲５▼を移動する。これにより、レンズ鏡筒は図２に示す状態になる。
【００４２】
そして、カム筒１が図２に示す状態から更に矢印▲３▼方向に移動すると、三群筒５はカムピン５ｃおよびガイド溝部２ｂの変曲部２ｃとの当接作用により図２に示す位置にとどまり、一群筒３だけが光軸方向に繰り出す。同時に、二群筒４も光軸方向に繰り出す。
【００４３】
これにより、一群筒３と三群筒５との間隔が、間隔Ａ１よりも広がる。ここで、
位置決め溝部３ｃの像面側の面はストッパ面３ｄとなっており、フック部５ｂがストッパ面３ｄに当接することにより、一群筒３および三群筒５が所定間隔以上離れない構造になっている。このため、一群筒３と三群筒５との間隔は、図３に示すように間隔Ａ２となる。
【００４４】
三群筒５が一群筒３とともに更に光軸方向に繰り出すと、三群筒５のカムピン５ｃが矢印▲４▼方向に所定量変位する。これにより、三群筒５も光軸周りに所定量回転し、フック部５ｂが位置決め溝部３ｃにはまり込む（図４）。これにより、レンズ鏡筒は図４に示すワイド状態となる。
【００４５】
図４に示すワイド状態において、カム筒１が矢印▲３▼方向に移動すると、一群筒３はカムピン３ａおよび一群カム溝部１ａのカム係合作用により光軸方向に繰り出し、二群筒４はカムピン４ａおよび二群カム溝部１ｂのカム係合作用により光軸方向に繰り出す。ここで、一群筒３および三群筒５は、フック部５ｂおよび位置決め溝部３ｃとの係合作用により、間隔Ａ２を維持しながら一体となって光軸方向に繰り出す。このとき、三群筒５のカムピン５ｃは、ガイド溝部２ｂのうち第２領域▲６▼の溝部に沿って光軸方向に移動する。
【００４６】
そして、カム筒１の移動量（回転量）に応じて、レンズ鏡筒は図５に示すミドル状態になったり、図６に示すテレ状態になったりする。ここで、一群筒３がズーム領域にあるとき、三群筒５のカムピン５ｃはガイド溝部２ｂのうち第２領域▲６▼の溝部を移動、すなわち光軸方向にのみ移動するため、フック部５ｂおよび位置決め溝部３ｃの係合状態が外れることがない。このため、レンズ鏡筒がズーム領域にあるときには、一群筒３および三群筒５は間隔Ａ２を維持したままとなる。
【００４７】
以上の説明が、レンズ鏡筒が沈胴状態からテレ状態に移行する際の動きである。
【００４８】
一方、レンズ鏡筒が沈胴状態まで繰り込む際の動作については、上述した繰り出し動作に対してほぼ逆の動作となる。
【００４９】
すなわち、レンズ鏡筒がテレ状態からワイド状態に繰り込む際には、図６に示すテレ状態においてカム筒１が矢印▲３▼と逆の方向に移動することにより、一群筒３および二群筒４の繰り込み動作が開始される。
【００５０】
このとき、位置決め溝部３ｃのうちストッパ面３ｄと対向する面が、フック部５ｂを押し込むことにより、三群筒５も一群筒３と一体となって繰り込む。ここで、一群筒３および三群筒５は、間隔Ａ２を維持したままである。
【００５１】
そして、レンズ鏡筒がワイド状態から更に繰り込むとき、カムピン５ｃがガイド溝部２ｂの変曲部２ｃに沿って移動することにより、三群筒５が光軸周りに回転してフック部５ｂが位置決め溝部３ｃから外れる。
【００５２】
フック部５ｂが位置決め溝部３ｃから外れると、一群筒３および三群筒５は、フック部５ｂと支持溝部３ｂとの摩擦力により一体となって繰り込む。そして、カムピン５ｃがガイド溝部２ｂのうち第１領域▲５▼を移動してガイド溝部２ｂの像面側の端面に当接すると、一群筒３だけが繰り込む。これにより、一群筒３と三群筒５との間隔は、間隔Ａ２から間隔Ａ１に狭まる。
【００５３】
そして、最終的にはレンズ鏡筒が図１に示す沈胴状態に戻る。
【００５４】
上述したレンズ鏡筒の繰り出し繰り込み動作におけるタイミングチャートを図８に示す。ここで、二群筒４の動きは本発明の特徴部分と関係ないため、図８では破線で示す。
【００５５】
一群筒３は、一群カム溝部１ａのカム軌跡に沿って繰り出したり繰り込んだりすることにより、沈胴位置とテレ位置との間を移動する。ここで、一群筒３の移動軌跡は繰り出し動作および繰り込み動作とも同じである。
【００５６】
一方、三群筒５は沈胴状態とワイド状態との間（非撮影状態）において、繰り出し時の移動軌跡と繰り込み時の移動軌跡が異なる。すなわち、沈胴状態から繰り出す場合、三群筒５は上述したようにカムピン５ｃがガイド溝部２ｂの変曲部２ｃに当接するまで一群筒３とともに光軸方向に移動し、その後、一群筒３だけが繰り出すことにより一群筒３と三群筒５との間隔が間隔Ａ２になるまで広がる。
【００５７】
そして、フック部５ｂがストッパ面３ｄに当接することにより、三群筒５は撮影領域において一群筒３とともに移動する。ここで、三群筒５の非撮影領域における移動軌跡を図８中の矢印Ｘで示す。
【００５８】
また、レンズ鏡筒がワイド状態から沈胴状態に繰り込む場合、カムピン５ｃがガイド溝部２ｂの変曲部２ｃに沿って移動することにより、フック部５ｂが位置決め溝部３ｃから外れ、上述したようにカムピン５ｃがガイド溝部２ｂの像面側の端面に当接するまで一群筒３および三群筒５が一体となって繰り込む。
【００５９】
そして、カムピン５ｃがガイド溝部２ｂの像面側の端面に当接することにより、一群筒３だけが繰り込む。このときの三群筒５の移動軌跡を図８中の矢印Ｙで示す。
【００６０】
このように、非撮影領域における三群筒５の移動軌跡は、繰り出し時および繰り込み時において互いに異なり、ヒステリシスな移動軌跡をとる。なお、撮影領域では、三群筒５は一群筒３と同じ移動軌跡をとる。
【００６１】
ここで、非撮影領域における三群筒５の移動軌跡は、図８中の実線に示した軌跡だけを辿るものではない。つまり、上述したレンズ鏡筒の動作において、三群筒５は、フック部５ｂと支持溝部３ｂとの摩擦力により一群筒３とともに移動するようになっているが、この摩擦力の大きさによっては一群筒３および三群筒５が一体的に繰り出したり繰り込んだりするとは限らない。
【００６２】
例えば、ガイド溝部２ｂにおける第２領域▲５▼でカムピン５ｃとの摩擦力が大きければ、一群筒３および三群筒５の間隔は間隔Ａ１よりも広がる場合がある。
【００６３】
また、フック部５ｂと支持溝部３ｂとの摩擦力がほとんどない場合において、レンズ鏡筒が沈胴状態（図１）からワイド状態に繰り出すときには、一群筒３はフック部５ｂがストッパ面３ｄに当接するまで繰り出し、その後、三群筒５が一群筒３とともに繰り出すようになる。このときの三群筒５の移動軌跡は矢印Ｙに示す移動軌跡と逆になる。
【００６４】
一方、レンズ鏡筒がワイド状態から沈胴状態に繰り込むときには、まずフック部５ｂが位置決め溝部３ｃから外れると、一群筒３だけが繰り込んでフック部５ｂが支持溝部３ｂに当接することにより一群筒３および三群筒５が繰り込むようになる。このときの三群筒５の移動軌跡は矢印Ｘに示す移動軌跡と逆になる。
【００６５】
このため、三群筒５は図８中の斜線部に示すヒステリシス範囲▲７▼内を辿って繰り出したり繰り込んだりする場合もある。
【００６６】
なお、本実施形態では、三群筒５を光軸周りに変位させているが、この変位は非撮影領域内において行われるため、三群筒５の変位が撮影時の光学性能に影響を与えることはない。
【００６７】
上述したように本実施形態のカメラでは、一群筒３および三群筒５を相対回転させてフック部５ｂと位置決め溝部３ｃとを係合させることにより、撮影領域において一群筒３および三群筒５を所定の間隔Ａ２で一体的に移動させている。
【００６８】
また、一群筒３と三群筒５とを相対回転させてフック部５ｂと位置決め溝部３ｃとの係合を外すことにより、一群筒３の移動だけを許容して一群筒３および三群筒５の間隔を間隔Ａ２と間隔Ａ１との範囲内で広げたり狭めたりしている。
【００６９】
これにより、従来技術のように一群筒と三群筒との間に両者の間隔を一定に保持するためのバネ部材を配置する必要がなくなる。
【００７０】
したがって、従来技術のように２つのレンズ群の間隔を狭める際にバネ部材を圧縮させる必要がなくなり、レンズ鏡筒の駆動負荷を低減することができる。しかも、バネ部材を不要とすることで、部品点数を減らすことができるとともに、沈胴状態における２つのレンズ群の間隔をバネ部材を配置した場合に比べて、より狭めることができるため、カメラを小型化することができる。
【００７１】
また、撮影領域においては一群筒３および三群筒５が一体となって移動するので、本実施形態のように三群レンズで構成されるレンズ鏡筒であっても、レンズ群を光軸方向に進退させるためのカム溝部は２つあればよく、カム筒に形成するカム溝部の数を少なくすることができる。これにより、レンズ鏡筒の駆動機構を簡素化することができ、多くのカム溝を設けることでカム溝部同士が干渉するといった問題点を解消することができる。
【００７２】
さらに、一群筒３の一部に支持溝部３ｂを形成するとともに、三群筒５の一部に三群筒５の肉厚を利用した光軸方向に延びる支持腕部５ａを形成しているため、係合機構（支持腕部５ａおよび支持溝部３ｂ）を設けるために一群筒３や三群筒５の径を大きくさせる必要はなく、レンズ鏡筒が大型化することもない。
【００７３】
なお、本実施形態では、上述したように三群筒５が繰り出し時と繰り込み時とでヒステリシスな移動軌跡を辿っているが、一群筒３も一義的とは言っても、繰り出し時と繰り込み時とで移動軌跡が異なっていると見なすこともできる。
【００７４】
すなわち、一群筒３が繰り出すときには一群カム溝部１ａのうち像面側の側面に沿って移動し、繰り込むときには一群カム溝部１ａのうち被写体側の側面に沿って移動することになるため、一群筒３の移動軌跡もヒステリシスな移動軌跡とみなすことができる。
【００７５】
しかし、このヒステリシスな移動軌跡は、カムピンおよびカム溝部の構造上のガタにより生じるものであり、本実施形態のようにレンズ群の間隔を積極的に変化させる際に生じるものではない。また、仮にカム溝部とカムピンとのガタがレンズ群の間隔を変化させるくらいに大きい場合には、通常はバネ等を用いて一方向に片寄せさせることになる。
【００７６】
（第２実施形態）
図１０から図１７を用いて本発明の第２実施形態であるカメラについて説明する。本実施形態のカメラにおけるレンズ鏡筒は４群タイプのレンズ構成であり、撮影領域では２つのレンズ群を係合状態で一体的に移動させ、非撮影領域では弾性変形により非係合状態として１つのレンズ群の移動だけを許容することによりレンズ間隔を変化させている。
【００７７】
本実施形態におけるレンズ群の動きとしては、ズーム駆動中は一群レンズおよび三群レンズが一体的に繰り出したり繰り込んだりするとともに、二群レンズおよび四群レンズが一体的に繰り出したり繰り込んだりする。また、沈胴時には一群レンズと三群レンズとの間隔、二群レンズと四群レンズとの間隔が縮まってそれぞれのレンズがカメラ本体内に収納されるようになっている。なお、本実施形態のカメラの構成は第１実施形態で説明した構成（図１８）と同様である。
【００７８】
図１０から図１２を用いて、本実施形態におけるレンズ鏡筒の構成について説明する。なお、後述するようにレンズ群を保持する筒部材（１群筒等）の外周には１２０°の間隔をおいて３つの部材（カムピン等）が配置されているが、この部材は第１実施形態で説明したように構成によっては２つ又は１つとしてもよい。
【００７９】
一群レンズを保持する一群筒２０の後端部には径方向内側に延びる直進キー２０ａが形成されており、この直進キー２０ａは直進筒２１の外周に形成された光軸方向に延びるキー溝２１ａと係合する。これにより、一群筒２０は光軸方向にのみ移動可能となる。
【００８０】
また、一群筒２０の外周には１２０°の間隔をおいて３つのカムピン２０ｂが形成されており、このカムピン２０ｂはカム筒２２の内周面に形成されたカム溝部２２ａに係合している。
【００８１】
４群レンズを保持する四群筒２３の外周面には１２０°の間隔をおいて３つのカムピン２３ａが形成されており、このカムピン２３ａは直進筒２１に形成された光軸方向に延びる直進溝部２１ｂを貫通して、カム筒２２の内周面に形成されたカム溝部２２ｂに係合している。ここで、カムピン２３ａが直進溝部２１ｂを貫通することで、四群筒２３は光軸方向にのみ移動可能となっている。
【００８２】
カム筒２２はギヤを介してモータ２６に連結しており、モータ２６の駆動力を受けることにより光軸周りに回転可能となっている。カム筒２２が光軸周りに回転すると、カムピン２０ｂがカム溝部２２ａに案内されることにより一群筒２０が光軸方向に進退し、カムピン２３ａがカム溝部２２ｂに案内されることにより四群筒２３が光軸方向に進退する。
【００８３】
一群筒２０の内周面には第１凹部２０ｃおよび第２凹部２０ｄが形成されており、これらの凹部２０ｃ、２０ｄには、三群レンズを保持する三群筒２４に形成された弾性腕部２４ａの先端が当接又は係合するようになっている。この弾性腕部２４ａは、三群筒２４の外周に１２０°の間隔をおいて３つ設けられており、弾性変形することができるようになっている。
【００８４】
第１凹部２０ｃのうち像面側（図１２中右側）の面は傾斜しており、弾性腕部２４ａが一群筒２０に対して像面側に移動する際には、弾性腕部２４ａが弾性変形して第１凹部２０ｃの傾斜面に沿って移動することができるようになっている。一方、第１凹部２０ｃのうち被写体側（図１２中左側）の面は傾斜していないため、弾性腕部２４ａが一群筒２０に対して被写体側に移動しようとしても、弾性腕部２４ａが第１凹部２０ｃの側面に突き当たることによりこれ以上移動できないようになっている。
【００８５】
また、弾性腕部２４ａが弾性変形して第１凹部２０ｃの傾斜面に沿って移動すると、弾性腕部２４ａは第２凹部２０ｄに係合するようになっている。ここで、第２凹部２０ｄの側面は傾斜していないため、弾性腕部２４ａが第２凹部２０ｄに係合すると、この第２凹部２０ｄから外れることはなく、一群筒２０および三群筒２４は一体的に移動可能となる。
【００８６】
上述した構成により一群筒２０と三群筒２４との間隔を広げることはできるが、一旦間隔を広げた後は狭めることができないようになっている。
【００８７】
一方、弾性腕部２４ａには突起部２４ｂが形成されており、この突起部２４ｂは、三群筒２４が光軸方向に移動する際に直進筒２１の内周面に形成された突起部２１ｃに当接するようになっている。ここで、三群筒２４が直進筒２１に対して光軸方向に移動する場合、弾性腕部２４ａが弾性変形することにより突起部２４ｂは突起部２１ｃの外面に沿って移動する。
【００８８】
このとき、弾性腕部２４ａの先端はレンズ鏡筒の径方向内側に変位するため、弾性腕部２４ａの先端が第２凹部２０ｄに係合していても、この第２凹部２０ｄから外れることができるようになっている。これにより、一群筒２０と三群筒２０との間隔は、弾性腕部２４ａの先端が第１凹部２０ｃの底面に当接するまで狭めることが可能になる。なお、弾性腕部２４ａの先端を第２凹部２０ｄから外す具体的なタイミングについては後述する。
【００８９】
二群レンズを保持する二群筒２５の外周には、１２０°の間隔をおいて３つの弾性変形可能な弾性腕部２５ａが形成されており、この弾性腕部２５ａは四群筒２３に形成された第１凹部２３ｂおよび第２凹部２３ｃに当接又は係合するようになっている。
【００９０】
第１凹部２３ｂのうち被写体側の面は傾斜しており、弾性腕部２５ａが四群筒２３に対して被写体側に移動する際には、弾性腕部２５ａが弾性変形して第１凹部２３ｂの傾斜面に沿って移動することができるようになっている。一方、第１凹部２３ｂのうち像面側の面は傾斜していないため、弾性腕部２５ａが四群筒２３に対して像面側に移動しようとしても、弾性腕部２５ａの先端が第１凹部２３ｂの底面に当接することによりこれ以上移動できないようになっている。
【００９１】
また、弾性腕部２５ａが弾性変形して第１凹部２３ｂの斜面に沿って移動すると、弾性腕部２５ａの先端は第２凹部２３ｃに係合するようになっている。ここで、第２凹部２３ｃの側面は傾斜していないため、弾性腕部２５ａの先端が第２凹部２３ｃから外れることはなく、二群筒２５および四群筒２３は一体的に移動可能となる。
【００９２】
上述した構成により二群筒２５と四群筒２３との間隔を広げることはできるが、一旦間隔を広げた後は狭めることができないようになっている。
【００９３】
一方、弾性腕部２５ａの先端には突起部２５ｂが形成されており、この突起部２５ｂは、第１凹部２３ｂおよび第２凹部２３ｃの中央に形成された光軸方向に延びる直進溝部２３ｄを貫通して、直進筒２１の内周面に形成された突起部２１ｄに当接するようになっている。ここで、二群筒２５が直進筒２１に対して光軸方向に移動する場合、弾性腕部２５ａが弾性変形することにより突起部２５ｂが突起部２１ｄの外面に沿って移動する。
【００９４】
このとき、弾性腕部２５ａの先端はレンズ鏡筒の径方向内側に変位するため、弾性腕部２５ａの先端（突起部２５ｂの基端部）が第２凹部２３ｃに係合していても、この第２凹部２３ｃから外れるようになっている。これにより、二群筒２５と四群筒２３との間隔は、弾性腕部２５ａの先端が第１凹部２３ｂの底面に当接するまで狭めることが可能になる。なお、弾性腕部２５ａの先端を第２凹部２３ｃから外す具体的なタイミングについては後述する。
【００９５】
上述した構成において、本実施形態におけるレンズ鏡筒の動作について図１２から図１７を用いて説明する。ここで、図１２はレンズ鏡筒が沈胴状態にあるときの断面図であり、図１３および図１４は、レンズ鏡筒が沈胴状態からワイド状態に繰り出す際の中間移動状態にあるときの断面図である。図１５および図１６はそれぞれ、レンズ鏡筒がワイド状態およびテレ状態にあるときの断面図である。図１７は、レンズ鏡筒がワイド状態から沈胴状態に繰り込む際の中間移動状態にあるときの断面図である。
【００９６】
まず、レンズ鏡筒が沈胴状態からテレ状態に繰り出す際の動作について説明する。
【００９７】
図１２に示す沈胴状態において、一群筒２０および三群筒２４は間隔Ｃ１の距離関係にあり、二群筒２５および四群筒２３は間隔Ｄ１の距離関係にある。この沈胴状態において、カム筒２２がモータ２６からの駆動力を受けて光軸周りに回転すると、一群鏡筒２０がカムピン２０ｂおよびカム溝部２２ａのカム係合作用により光軸方向に繰り出すとともに、四群筒２３がカムピン２３ａおよびカム溝部２２ｂのカム係合作用により光軸方向に繰り出す。
【００９８】
ここで、一群筒２０が光軸方向に繰り出すとき、一群筒２０の第１凹部２０ｃと弾性腕部２４ａの先端との摩擦力により三群筒２４も一体となって光軸方向に繰り出す。また、四群筒２３が光軸方向に繰り出すとき、四群筒２３の第１凹部２３ｂと弾性腕部２５ａの先端との摩擦力により二群筒２５も一体となって光軸方向に繰り出す。
【００９９】
一群筒２０および三群筒２４が光軸方向に繰り出すと、弾性腕部２４ａの突起部２４ｂが直進筒２１における突起部２１ｃの斜面に当接し、一群筒２０が更に光軸方向に繰り出すことにより、弾性腕部２４ａの先端が第１凹部２０ｃの斜面に沿って移動する。これにより、弾性腕部２４ａは弾性変形し、弾性腕部２４ａの先端がレンズ鏡筒の径方向内側に変位する。このとき、弾性腕部２４ａの先端は、第１凹部２０ｃにおける斜面の一端まで移動する。
【０１００】
一方、二群筒２５および四群筒２３が光軸方向に繰り出すと、突起部２５ｂが直進筒２１における突起部２１ｄの斜面に当接する。
【０１０１】
ここで、本実施形態では、一群筒２０および三群筒２４の繰り出し量が、四群筒２３および二群筒２５の繰り出し量よりも多くなるように設定しているため、一群筒２０および四群筒２３が光軸方向に繰り出し始めると、レンズ鏡筒は図１３に示す状態となり、二群筒２５と三群筒２４とが当接して互いに押し合うようになる。
【０１０２】
レンズ鏡筒が図１３に示す状態にあるとき、一群筒２０および三群筒２４は間隔Ｃ１よりも広い間隔Ｃ２の距離関係にあり、二群筒２５および四群筒２３は間隔Ｄ１よりも広い間隔Ｄ２の距離関係にある。なお、図１３では、一群筒２０および三群筒２４の間隔変化と、二群筒２５および四群筒２３の間隔変化が同時に起きた場合を示しているが、どちらか一方の間隔変化が先に起こることもある。
【０１０３】
そして、一群筒２０が更に繰り出すと、二群筒２５および三群筒２４の押し合い作用により、第１凹部２０ｃにおける斜面の一端に位置する弾性腕部２４ａの先端が第２凹部２０ｄに係合する（図１４）。また、二群筒２５および三群筒２４の押し合い作用により、二群筒２５における弾性腕部２５ａの先端は、四群筒２３における第１凹部２３ｂの斜面に沿って移動して、この斜面の一端まで移動した後に第２凹部２３ｃに係合する（図１４）。
【０１０４】
弾性腕部２５ａの先端が第２凹部２０ｄに係合することにより、一群筒２０および二群筒２５は一体的に移動可能となる。また、弾性腕部２４ａの先端が第２凹部２３ｃに係合することにより、三群筒２４および四群筒２３は一体的に移動可能となる。
【０１０５】
なお、弾性腕部２４ａの第２凹部２０ｄへの移動が、弾性腕部２５ａの第２凹部２３ｃへの移動よりも先、同時又は後に行われた場合であっても、二群筒２５および三群筒２４の押し合い作用により、弾性腕部２４ａの先端は第２凹部２０ｄへ移動し、弾性腕部２５ａの先端は第２凹部２３ｃへ移動することになる。
【０１０６】
レンズ鏡筒が図１４に示す状態にあるとき、一群筒２０および三群筒２４は最も広い間隔Ｅの距離関係にあり、二群筒２５および四群筒２３は最も広い間隔Ｆの距離関係にある。
【０１０７】
なお、図１４に示す状態では、二群筒２５および三群筒２４が互いに押し合っている状態にあるため、実際に撮影を行う場合におけるワイド状態では図１５に示すように二群筒２５と三群筒２４との間を所定距離だけ空けた状態とする。すなわち、一群筒２０および三群筒２４を図１４に示す状態に維持し、二群筒２５および四群筒２３を図１４に示す状態から光軸方向に所定量繰り出すようにする。
【０１０８】
ここで、レンズ鏡筒がワイド状態にある場合（図１５）において、一群筒２０および三群筒２４は間隔Ｅの距離関係にあり、二群筒２５および四群筒２３は間隔Ｆの距離関係にある。
【０１０９】
また、レンズ鏡筒がワイド状態（図１５）からテレ状態（図１６）に繰り出す場合、カムピン２０ｂおよびカム溝部２２ａのカム係合作用により一群筒２０および三群筒２４が光軸方向に繰り出すとともに、カムピン２３ａおよびカム溝部２２ｂのカム係合作用により二群筒２５および四群筒２３が光軸方向に繰り出す。なお、レンズ鏡筒がテレ状態にあるときも、一群筒２０および三群筒２４は間隔Ｅの距離関係にあり、二群筒２５および四群筒２３は間隔Ｆの距離関係にある。
【０１１０】
次に、レンズ鏡筒がテレ状態から沈胴状態に繰り込む際の動作について説明する。
【０１１１】
レンズ鏡筒がテレ状態からワイド状態に繰り込む際の動作は、上述したレンズ鏡筒がワイド状態からテレ状態に繰り出す際の動作と逆の動作となる。なお、レンズ鏡筒が繰り込む場合、カム筒２２はモータ２６からの駆動力を受けることにより、繰り出し時の回転方向とは反対の方向に回転する。
【０１１２】
レンズ鏡筒がワイド状態（図１５）から沈胴状態に繰り込む場合、一群筒２０および三群筒２４が間隔Ｅの距離関係を保ったまま繰り込むとともに、二群筒２５および四群筒２３が間隔Ｆの距離関係を保ったまま繰り込み、図１４に示す状態となる。
【０１１３】
図１４に示す状態から一群筒２０および三群筒２４が光軸方向に繰り込むと、弾性腕部２４ａにおける突起部２４ｂが直進筒２１の突起部２１ｃの斜面に当接して、この斜面に沿って移動する。これにより、弾性腕部２４ａは弾性変形して、この先端がレンズ鏡筒の径方向内側に変位する（図１７）。
【０１１４】
そして、突起部２４ｂが突起部２１ｃの頂上に達すると、弾性腕部２４ａの先端が第２凹部２０ｄから外れて、第１凹部２０ｃと第２凹部２０ｄとの間における一群筒２０の内周面を付勢するようになる。ここで、弾性腕部２４ａの先端は、一群筒２０の内周面を付勢しているため、三群筒２４は一群筒２０とともに繰り込み、突起部２４ｂは突起部２１ｃの頂上をスライド移動する。
【０１１５】
また、図１４に示す状態から二群筒２５および四群筒２３が光軸方向に繰り込むと、突起部２５ｂが直進筒２１の突起部２１ｄの斜面に当接して、この斜面に沿って移動する。そして、突起部２５ｂは、突起部２１ｄの頂上まで移動する。これにより、弾性腕部２５ａの先端側はレンズ鏡筒の径方向内側に弾性変形し、弾性腕部２５ａの先端は第２凹部２３ｃから外れるようになる（図１７）。
【０１１６】
なお、第２凹部２３ｃのうち被写体側の側面は、像面側の側面よりも高くなっているため、弾性腕部２５ａの先端は、弾性変形しても第２凹部２３ｃの被写体側の側面に当接するようになっている。このため、二群筒２５は四群筒２３とともに繰り込み、突起部２５ｂは突起部２１ｄの頂上をスライド移動する。
【０１１７】
ここで、本実施形態では、一群筒２０の繰り込み量が四群筒２３の繰り込み量よりも大きく設定されているため、レンズ鏡筒が繰り込むことにより一群筒２０が二群筒２５に当接して二群筒２５を像面側に押し込む。また、一群筒２０とともに繰り込む三群筒２４が四群筒２３に当接して、この四群筒２３により三群筒２４の繰り込み動作が阻止される。
【０１１８】
そして、一群筒２０が二群筒２５を像面側に押し込むことにより、レンズ鏡筒の径方向内側に弾性変形している弾性腕部２５ａの先端が第１凹部２３ｂの底面に当接する。このとき、突起部２５ｂは突起部２１ｄを乗り越えている。上述した動作により、二群筒２５と四群筒２３との間隔が縮まり、レンズ鏡筒は図１２に示す沈胴状態となる。
【０１１９】
また、四群筒２３が三群筒２４の繰り込みを阻止することで一群筒２０だけが光軸方向に繰り込み、これにより弾性腕部２４ａの先端が第１凹部２０ｃの底面に当接する。このとき、突起部２４ｂは突起部２１ｃを乗り越えている。上述した動作により、一群筒２０と三群筒２４との間隔が縮まり、レンズ鏡筒は図１２に示す沈胴状態となる。
【０１２０】
本実施形態におけるレンズ鏡筒は、沈胴状態からワイド状態に繰り出す際の動作と、ワイド状態から沈胴状態に繰り込む際の動作とにおけるレンズ群（二群筒２５および三群筒２４）の移動軌跡が異なっており、第１実施形態と同様にヒステリシスな移動軌跡をとるようになっている。
【０１２１】
以上説明したように本実施形態では、撮影領域において、弾性腕部２４ａ（２５ａ）を第２凹部２０ｄ（２３ｃ）に係合させることにより一群筒２０および三群筒２４（二群筒２５および四群筒２３）を所定の間隔を保った状態で一体的に光軸方向に移動させるとともに、非撮影領域において、弾性腕部２４ａを突起部２１ｄとの当接により弾性変形させて第２凹部２０ｄから外すことにより一群筒２０および三群筒２４の間隔を狭めているため、従来技術のようにレンズ群の間隔を変化させるためのバネ部材を用いる必要がない。
【０１２２】
このため、従来技術のように非撮影領域においてバネ部材を圧縮させる必要はなく、レンズ鏡筒の駆動負荷を低減することができる。しかも、バネ部材を不要とすることで、部品点数の削減を図ることができるとともに、２つのレンズ群の間にバネ部材を配置した場合に比べてレンズ群の間隔をより狭めることができる。そして、沈胴状態におけるレンズ群の間隔をより狭めることで、カメラの小型化を図ることもできる。
【０１２３】
また、撮影領域において、一群筒２０および三群筒２４（二群筒２５および四群筒２３）を一体的に移動させることで、カム筒２２に形成するカム溝部は、２つのレンズ群に対して１つで済むため、レンズ鏡筒の駆動機構を簡素化することができ、多くのカム溝部を設けることでカム溝部同士が干渉するといった問題点を解消することができる。
【０１２４】
（他の実施形態）
第１実施形態では、一群筒３、二群筒４および三群筒５から成る３群タイプのレンズ構成であったが、二群筒４がなくても、一群筒３および三群筒５は、非撮影領域において間隔が狭まり、撮影領域において間隔を広げた状態で一体的に移動することができる。従って、複数枚のレンズで構成される単体レンズで、レンズ間隔が大きなタイプのものである場合、第１実施形態を適用することによりレンズ間隔を縮めてコンパクトに収納させることができる。この場合、図１中の▲１▼に示す領域は、「ズーム」ではなく「合焦」のためにレンズを移動させる領域となる。
【０１２５】
また、第１実施形態および第２実施形態におけるレンズ鏡筒の構成は、カム筒および直進筒を１つずつ備えた簡単な構成となっているが、カム筒および直進筒を複数組み合わせた、いわゆる差動型のレンズ駆動機構にも本発明を適用することもできる。
【０１２６】
【発明の効果】
本発明によれば、撮影可能状態においては係合部および被係合部を係合させて第１のレンズ部材および第２のレンズ部材を一体的に移動させ、非撮影状態においては係合部および被係合部の係合を外して第１のレンズ部材と第２のレンズ部材との間隔を狭めるようにすることで、従来技術におけるバネ部材を不要としている。
【０１２７】
このようにバネ部材を不要とすることにより部品点数を削減することができるとともに、２つのレンズ部材の間隔を狭める際にバネ部材を圧縮させる必要がなくなるためにレンズ部材の駆動負荷を低減することができる。しかも、２つのレンズ部材の間隔を、バネ部材を配置した場合に比べて更に狭めることができるため、例えば、非撮影状態においてレンズ部材をカメラ内に収納する、いわゆる沈胴式カメラに本発明を適用すればカメラの小型化を図ることができる。
【図面の簡単な説明】
【図１】第１実施形態においてレンズ鏡筒が沈胴状態にあるときの外観斜視図。
【図２】第１実施形態においてレンズ鏡筒が沈胴状態からワイド状態に繰り出す途中にあるときの外観斜視図。
【図３】第１実施形態においてレンズ鏡筒が沈胴状態からワイド状態に繰り出す途中にあるときの外観斜視図。
【図４】第１実施形態においてレンズ鏡筒がワイド状態にあるときの外観斜視図。
【図５】第１実施形態においてレンズ鏡筒がミドル状態にあるときの外観斜視図。
【図６】第１実施形態においてレンズ鏡筒がテレ状態にあるときの外観斜視図。
【図７】第１実施形態においてレンズ鏡筒がワイド状態から沈胴状態に繰り込む途中にあるときの外観斜視図。
【図８】第１実施形態においてレンズ鏡筒の繰り出し繰り込み動作におけるタイミングチャート。
【図９】従来技術においてレンズ鏡筒の繰り出し繰り込み動作におけるタイミングチャート。
【図１０】第２実施形態におけるレンズ鏡筒の外観斜視図。
【図１１】第２実施形態におけるレンズ鏡筒の外観斜視図。
【図１２】第２実施形態においてレンズ鏡筒が沈胴状態にあるときの断面図。
【図１３】第２実施形態においてレンズ鏡筒が沈胴状態からワイド状態に繰り出す途中にあるときの断面図。
【図１４】第２実施形態においてレンズ鏡筒が沈胴状態からワイド状態に繰り出す途中にあるときの断面図。
【図１５】第２実施形態においてレンズ鏡筒がワイド状態にあるときの断面図。
【図１６】第２実施形態においてレンズ鏡筒がテレ状態にあるときの断面図。
【図１７】第２実施形態においてレンズ鏡筒がワイド状態から沈胴状態に繰り込む途中にあるときの断面図。
【図１８】カメラの外観斜視図。
【符号の説明】
１：カム筒　　１ａ：一群カム溝部　　１ｂ：二群カム溝部
２：直進筒　　２ａ：直進溝部　　２ｂ：ガイド溝部
２ｃ：変曲部　　３：一群筒　　３ａ：カムピン
３ｂ：支持溝部　　３ｃ：位置決め溝部　　３ｄ：ストッパ面
４：二群筒　　４ａ：カムピン　　５：三群筒　　５ａ：支持腕部
５ｂ：フック部　　５ｃ：カムピン　　２０：一群筒
２０ａ：直進キー　　２０ｂ：カムピン　　２０ｃ：第１凹部
２０ｄ：第２凹部　　２１：直進筒　　２１ａ：キー溝部
２１ｂ：直進溝部　　２１ｃ：突起部　　２１ｄ：突起部
２２：カム筒　　２３：四群筒　　２３ａ：カムピン
２３ｂ：第１凹部　　２３ｃ：第２凹部　　２４：三群筒
２４ａ：弾性腕部　　２４ｂ：突起部　　２５：二群筒
２５ａ：弾性腕部　　２５ｂ：突起部　　２６：モータ
【図１】
2004021053.tif 000003
【図２】
2004021053.tif 000004
【図３】
2004021053.tif 000005
【図４】
2004021053.tif 000006
【図５】
2004021053.tif 000007
【図６】
2004021053.tif 000008
【図７】
2004021053.tif 000009
【図８】
2004021053.tif 000010
【図９】
2004021053.tif 000011
【図１０】
2004021053.tif 000012
【図１１】
2004021053.tif 000013
【図１２】
2004021053.tif 000014
【図１３】
2004021053.tif 000015
【図１４】
2004021053.tif 000016
【図１５】
2004021053.tif 000017
【図１６】
2004021053.tif 000018
【図１７】
2004021053.tif 000019
【図１８】
2004021053.tif 000020